(57)【特許請求の範囲】
【請求項１】
壁面に対面する面状の本体部と、この本体部の上部に位置し、本体部上縁に沿って延びる機器取付け部を備え、前記機器取付け部は、前記本体部より所定の寸法で反壁面側に突出し、壁面と前記取付け部の裏面との間に前記壁面と一定の距離を有するスペーサ取付け空間を有し、さらにこのスペーサ取付け空間に、前記壁面と機器取付け部の間に介在するスペーサを設け、前記機器取付け部およびスペーサに、釘、ビスなどの固定部材が貫通する貫通部を設けた機器の壁面据付け装置。
【請求項２】
本体部の上部に形成された機器取付け部は、複数個の穴を具備し、その一つをスペーサ本体穴、残りの穴は前記スペーサ本体穴より所定間隔あけて配置され、さらにスペーサは前記スペーサ本体穴に係合するスペーサ本体と、このスペーサ本体より外方に延出するアーム部と、前記アーム部の先端もしくは適宜位置に設けられ、前記スペーサ本体穴を除く他の穴に嵌合する突起部より構成した請求項１記載の機器の壁面据付け装置。
【請求項３】
スペーサを構成する突起部に、穴との嵌合を保持する抜け止めを設けた請求項２記載の機器の壁面据付け装置。
【発明の詳細な説明】
【０００１】
【発明の属する技術分野】
本発明は、空調機器あるいは音響スピーカ等の如く比較的重量を有し、家屋壁面に懸架し支持される機器の据付け装置に関するものである。
【０００２】
【従来の技術】
以下、分離型空気調和機を機器の例として説明する。従来の分離型空気調和機において、その室内機は、図６に示す如く室内壁面１００に取付けられた据付け板１０２に係止され、室内壁面に配置される。
【０００３】
すなわち、据付け板１０２の複数箇所をネジ１０３にて壁面に固定し、図７に示す如くその上縁に室内機１０４の係合部１０６を係止することにより室内機１０４が支持される。
【０００４】
ここで、前記据付け板１０２の上縁部には絞り加工又は切起こし加工あるいは溶接加工等により引掛け部１０５を持ち、この引掛け部１０５に室内機１０４のかぎ状の係合部１０６が嵌合する。
【０００５】
その結果、室内機の係合部１０６は、引掛け部１０５の空間に収まる。
【０００６】
したがって、室内機１０４は、壁面１００との隙間が極めて少ない状態で据付けられ、見栄えの良い取付け状態となる。
【０００７】
前記据付け板１０２は、図６に示す如く引掛け部１０５以外に設けられたネジ貫通孔１０７にネジ１０３を挿入し壁面１００にネジ止めされるのが一般的である。
【０００８】
【発明が解決しようとする課題】
しかしながら上記従来の据付け板１０２の構造であると、室内機の据付けは見栄えが良くなるものの、家屋の都合で図８に示すように間柱１０８など据付け板１０２の中央部のみしかネジ固定出来ない場合、据付け板１０２中央部付近のネジ穴しか利用できず、室内機を懸架した際、その重量のため引掛け部１０５および据付け板１０２のネジ止めしていない部分が撓み変形してしまうという欠点があった。
【０００９】
特に、図６に示した形状の据付け板１０２は部材軽量化・省資源化の関係から、矩形平板状から必要部分のみを残した形状としたものであり、矩形に比較して強度的に低下している。
【００１０】
このため、壁面に締結するネジの数を十分に確保できず、室内機１０４を懸架した場合、室内機１０４の重量による据付け板１０２の変形が著しい。
【００１１】
図７,図８により、この変形について説明する。
【００１２】
図７は壁面１００に分離型空気調和機の室内機１０４を懸架した際の据付け板１０２への荷重のかかる様子を示している。
【００１３】
すなわち質量Ｍを持つ室内機１０４は据付け板１０２の引掛け部１０５でもって懸架されるが、引掛け部１０５には質量Ｍによる分力Ｆが作用している。
【００１４】
したがって、図８に示す如く据付け板１０２の中央部のみが間柱１０８へネジ１０３で締結されていると、そのネジ止め部Ｂを起点にし、図７に示す距離Ｌに比例したモーメントにより据付け板１０２の上縁は、図８の破線で示すように撓み変形する。
【００１５】
特に分離型空気調和機の場合において、据付け板１０２の変形が生じると、本体の変形、送風性能・冷暖房性能の低下、水漏れ、異音発生、機器の停止等異常発生の原因となる。
【００１６】
かかる現象の抑制としては、据付け板１０２の中央部のネジ穴を出来る限り上方に設けることが考えれるが、室内機１０４の据付けの見栄えを良くするべく据付け板１０２の上部に設けられた引掛け部１０５の位置関係から限界があった。
【００１７】
【課題を解決するための手段】
上記課題を解決するために本発明は、壁面に対面する面状の本体部と、この本体部の上部に位置し、本体部上縁に沿って延びる機器取付け部を備え、前記機器取付け部は、前記本体部より所定の寸法で反壁面側に突出し、その裏面に前記壁面と一定の距離を有するスペーサ取付け空間を有し、さらにこのスペーサ取付け空間に、前記壁面と機器取付け部の間に介在するスペーサを設け、前記機器取付け部およびスペーサに、釘、ビスなどの固定部材が貫通する貫通穴部を設けたものである。
【００１８】
かかる構成とすることにより、本体部上縁近傍を本体部の壁面固定部とすることができ、本体部上縁の撓み変形が抑制できる。その結果、本体部上縁において、固定部を中心に前方に加わる応力が抑制でき、本体部上縁の撓み変形が抑制できる。
【００１９】
また、本発明は、本体部の上部に形成された機器取付け部は、複数個の穴を具備し、その一つをスペーサ本体穴、残りの穴は前記スペーサ本体穴より所定間隔あけて配置され、さらにスペーサは前記スペーサ本体穴に係合するスペーサ本体と、このスペーサ本体より外方に延出するアーム部と、前記アーム部の先端もしくは適宜位置に設けられ、前記スペーサ本体穴を除く他の穴に嵌合する突起部より構成したものである。
【００２０】
かかる構成とすることにより、スペーサの空回りが防止でき、アーム部が所定の位置で保持され、その結果、アーム部が本体部におけるスペーサ周辺の補強を行う。
【００２１】
さらに、本発明は、スペーサを構成する突起部に、穴との嵌合を保持する抜け止めを設けたものである。
【００２２】
かかる構成とすることにより、スペーサ本体の脱落を防止するとともに、スペーサ周辺の補強をさらに確実なものとする。
【００２３】
【発明の実施の形態】
以下に、本発明の実施の形態について、分離型空気調和機における室内機の据付け装置ついて図面を参考に説明する。
【００２４】
（実施の形態１）
図１は、室内機を家屋壁面に据付けるための据付け装置を示し、１は鋼板製の据付け板で本発明の本体部に相当する。
【００２５】
この据付け板１の上縁中央部には、絞り加工または切起し加工あるいは溶接加工により形成された機器取付け部２が設けられている。
【００２６】
この機器取付け部２は、据付け板１の面より、壁面と反対方向に所定寸法χ膨らむように突出し、その裏面には、図２に示す如く、空間であるスペーサ取付け空間２ａが形成されている。
【００２７】
この取付け空間２ａの寸法χの空間を利用して、室内機３の背面上部にかぎ状に突出して設けられた係合部４が、この機器取付け部２の上縁を挟むように係合する。
【００２８】
係合部４は、室内機３本体の中心から左右対称で且つ、機器取付け部２の幅Ｗ内に収まる位置に設けられ、また室内機３の背面と同程度の張出しとなるように形成されている。
【００２９】
５は取付け部２の略中央に設けられたスペーサ本体穴（以下、本体穴と称す）で、その両側対称位置には一対の取付け穴６が設けられている。
【００３０】
７a〜７hはそれぞれ据付け板１の適宜個所に左右対称となるように多数設けられた貫通穴で、据付け板１は、壁面９の条件・状況に応じて使用される穴が選択され、ビスまたはネジ・釘などの固定部材８で壁面９に固定される。
【００３１】
１０は据付け板１に取付けられた若干可撓性を有する硬質の樹脂材料からなるスペーサで、本体穴５および取付け穴６との関わりを次のように持っている。
【００３２】
このスペーサ１０は、図３に示すように、中央部に固定部材８が貫通し、本発明の貫通部に相当する貫通穴１１を持つ円筒状のスペーサ本体１２と、このスペーサ本体１２より外方へ所定寸法延出したアーム部１３と、アーム部１３の先端に設けられ、取付け穴６に嵌合する突起部１４と、この突起部１４の先端に設けられ、取付け穴６との嵌合状態において適当な面積で据付け板１表面と当接して突起部１４の取付け穴６からの抜けを防止する抜け止め部１５より構成され、これらは金型成形にて一体に形成されている。
【００３３】
ここで、抜け止め部１５は、取付け穴６への挿入が円滑となるよう作用するテーパ部１５ａを具備しており、一般的に抜け止めとして用いられる爪状の構成でよく、適度の力で外すことが出来、これによりスペーサ１０は据付け板１に着脱可能に取付けられている。
【００３４】
さらにスペーサ本体１２の高さＨは、据付け板１に設けたスペーサ取付け空間２ａの空間突出寸法χと略等しい値に設定されている。
【００３５】
またアーム部１３は、スペーサ本体１２の片側端面と面一に延出する基部１３ａと、この基部１３ａから直角方向に延出し、スペーサ本体１２の高さと同寸法の高さを有する脚部１３ｂより構成されている。
【００３６】
上記構成において、室内機３を室内の壁面９へ取付ける一連の作業内容について説明する。
【００３７】
まず、据付けに要する壁面９の面積が一様に確保されている場合は、図１に示すように据付け板１を所望の位置に配置し、最適な位置にある貫通穴７ａ〜７ｈを複数選んで、それぞれの箇所を固定部材８にて壁面９に固定することにより、据付け板１の壁面への固定が終了する。
【００３８】
そして、室内機３の係合部４を据付け板１上縁の機器取付け部２へ係合することにより室内機３の壁面９への据付けが完了する。その後、必要に応じて室内機３を据付け板１にさらに強固に固定する手段を別途設けてもよい。
【００３９】
この場合、スペーサ１０は特に必要としないため、据付け板１から取外しても良く、また取付けた状態として、貫通穴７ａ〜７ｈと同様固定部材８にて壁面９に固定してもよい。
【００４０】
次に、据付けに要する壁面９の面積が十分に確保できない場合について説明する。一例として図４に示す如く、間柱１６のみにしか据付け板１を取付けることが出来ない場合は、あらかじめ、据付け板１にスペーサ１０を取付けた状態とする。
【００４１】
その取付けに際しては、スペーサ取付け空間２ａにおいて、スペーサ１０のアーム部１３の突起１４を取付け穴６へ圧入する。
【００４２】
このとき、抜け止め部１５が取付け穴６を貫通する際に若干撓み、圧入操作を助け、貫通後は自身の持つ弾性で復帰し、抜け止めの機能を果たす。
【００４３】
これにより、スペーサ本体１２の貫通穴１１が据付け板１の本体穴５と合致する。
【００４４】
このように準備された据付け板１を間柱１６へ固定する場合は、まず据付け板１の位置決めを行い、その位置で、固定部材８を本体穴５からスペーサ本体１２の貫通穴１１を貫通させ、この固定部材８にて据付け板１、スペーサ１０を壁面９へ押付け固定する。この固定部材８がネジであれば、据付け板１とスペーサ１０の共締めで壁面９へ固定される。
【００４５】
さらにもう一箇所ｙを固定部材８にて間柱１６へ固定すれば、据付け板１は一層安定して取付けられることになる。その後は、前述と同様に室内機３の係合部４を据付け板１の機器取付け部２へ係合すればよい。
【００４６】
かかる据付け装置によれば、据付けに要する壁面９の面積が一様に十分確保されている場合は勿論、据付けに要する壁面９の面積が十分確保されていない場合であっても据付け板１の上縁部を固定する構造であるため、室内機３の重量により据付け板１の両側部に応力が作用しても撓み変形を抑えることが出来る。
【００４７】
しかもその固定のための上縁部にある機器取付け部２はスペーサ１０の介在により、変形が抑えられ、据付け板１を安定して取付けることが出来る。
【００４８】
特に、スペーサ１０は、そのスペーサ本体１２の高さＨがスペーサ取付け空間２ａの突出した寸法χと同等に形成されているため、固定部材８による締結時の局部的な押圧を受けても機器取付け部２の変形を抑制し、さらに、アーム部１３の高さもスペーサ本体１２の高さＨと同等であるため、このアーム部１３によってスペーサ１２の周囲も補強でき、より安定した据付け板１の取付け、および室内機３の据付けが可能となる。
【００４９】
また、アーム部１３と突起１４および抜け止め部１５により、スペーサ１０の廻り止めと、据付け板１からの落下が防止でき、作業性の向上が図れるものである。
【００５０】
（実施の形態２）
図５は本発明の第２の実施の形態を示し、実施の形態１と異なる部分は、スペーサ２０に設けたアーム部２１の突起部２２及び、それに対応する据付け板１の取付け穴６ａを適宜の位置に複数設け（本実施の形態1場合は左右に並設したが、上下に配置しても良い）た点である。
【００５１】
かかる構成とすることにより、先の実施の形態1に加え、アーム部２１が長くなった分、機器取付け部２３の本体穴２５周辺の補強を広範囲にわたって行なう事ができる。
【００５２】
また、本実施例１、２においては、据付ける機器を分離型空気調和機の室内機としたが、空気清浄機あるいは音響スピーカ等、壁面へ懸架支持する他の機器であっても同様に実施できるもので、本発明の技術的範囲を逸脱するものではない。
【００５３】
【発明の効果】
上記説明から明らかなように請求項１記載の発明は、壁面に対面する面状の本体部と、この本体部の上部に位置し、本体部上縁に沿って延びる機器取付け部を備え、前記機器取付け部は、前記本体部より所定の寸法で反壁面側に突出し、その裏面に前記壁面と一定の距離を有するスペーサ取付け空間を有し、さらにこのスペーサ取付け空間に、前記壁面と機器取付け部の間に介在するスペーサを設け、前記機器取付け部およびスペーサに、釘、ビスなどの固定部材が貫通する貫通穴部を設けたもので、据付け装置の本体部上縁部近傍を壁面に固定出来、機器取付け部に重量物である機器を懸架支持した場合であっても、本体部上縁の撓み変形が抑制でき、安定した機器の壁面取付けが行えると共に、スペーサの介在により、固定部材の装着応力に伴う機器取付け部の変形が抑止できる。
【００５４】
また、請求項２記載の発明は、本体部の上部に形成された機器取付け部は、複数個の穴を具備し、その一つをスペーサ本体穴、残りの穴は前記スペーサ本体穴より所定間隔あけて配置され、さらにスペーサは前記スペーサ本体穴に係合するスペーサ本体と、このスペーサ本体より外方に延出するアーム部と、前記アーム部の先端もしくは適宜位置に設けられ、前記スペーサ本体穴を除く他の穴に嵌合する突起部より構成したもので、固定部材の装着時に掛かる力でスペーサがから回りするのを防止することが出来る。
【００５５】
また、請求項３記載の発明は、スペーサを構成する突起部に、穴の嵌合を保持する抜け止めを設けたもので、スペーサ本体の脱落が防止できると共にスペーサ本体周辺の補強をより確実なものとする。
【図面の簡単な説明】
【図１】本発明の第１の実施の形態を示す機器の壁面据付け装置の分解斜視図
【図２】同機器の壁面据付け装置の壁面取付け状態を示す平面図
【図３】同機器の壁面据付け装置に用いるスペーサの斜視図
【図４】同機器の壁面据え付け装置の壁面取付け状態を示す正面図
【図５】本発明の第２の実施の形態における機器の壁面据付け装置の分解斜視図
【図６】従来例における機器の壁面据付け装置の壁面取付け状態を示す正面図
【図７】従来例を示す空気調和機本体の据付け時にかかる荷重説明図
【図８】従来例における空気調和機本体の荷重による据付け板の変形説明図
【符号の説明】
１  据付け板
２  機器取付け部
２ａ  スペーサ取付け空間
３  機器
４  係合部
５  本体穴
６  取付け穴
７a,７b,７c,７d,７e,７f,７g,７h  貫通穴
８  固定部材
９  壁面
１０  スペーサ
１１  貫通穴
１２  スペーサ本体
１３  アーム部
１３ａ  基部
１３ｂ  脚部
１４  突起部
１５  抜止め部
１５ａ  テーパ部
１６  間柱
２０  スペーサ
２１  アーム部
２２  突起部
２３  機器取付け部
【図１】
0003867613.tif 000002
【図２】
0003867613.tif 000003
【図３】
0003867613.tif 000004
【図４】
0003867613.tif 000005
【図５】
0003867613.tif 000006
【図６】
0003867613.tif 000007
【図７】
0003867613.tif 000008
【図８】
0003867613.tif 000009